(57)【特許請求の範囲】
【請求項１】
接地端子から第一接地コンデンサと接続する電源システムの正極母線までの電位値及び接地端子から第二接地コンデンサと接続する前記電源システムの負極母線までの電位値を測定する工程と、
前記第一接地コンデンサの電圧値が分子で、第二接地コンデンサの電圧値が分母の比率の絶対値が既定範囲値を超えているか否かを判断する工程と、
前記比率の絶対値が前記既定範囲値より小さい場合、電力転換ユニットによって前記電源システムの正極母線に対して直流電流を流入することで、前記接地端子から前記正極母線までの電位値を所定値まで向上し、前記比率の絶対値が前記既定範囲値より大きい場合、電力転換ユニットによって前記電源システムの負極母線に対して直流電流を流入することで、前記接地端子から前記負極母線までの電位値を所定値まで向上する工程と、
を包括することを特徴とする、高感度に非接地型直流給電の絶縁抵抗を検出する方法。
【請求項２】
前記第一接地コンデンサの電圧値及び前記第二接地コンデンサの電圧値が相等且つ前記第一接地コンデンサの電圧が前記電源システムの電圧の半分であるか否かを判断し、そうであった場合、前記電力転換ユニットを切って直流電流の流入を停止する工程をさらに包括することを特徴とする請求項１に記載の、高感度に非接地型直流給電の絶縁抵抗を検出する方法。
【請求項３】
前記電力転換ユニットは、二つの単方向ＤＣ−ＤＣコンバータ（Ｕｎｉｄｉｒｅｃｔｉｏｎａｌ  ＤＣ−ｔｏ−ＤＣ  ｃｏｎｖｅｒｔｅｒ）或いは一つの双方向ＤＣ−ＤＣコンバータ（Ｂｉ−ｄｉｒｅｃｔｉｏｎａｌ  ＤＣ−ｔｏ−ＤＣ  ｃｏｎｖｅｒｔｅｒ）であることを特徴とする請求項１或いは２に記載の、高感度に非接地型直流給電の絶縁抵抗を検出する方法。
【請求項４】
正極母線、負極母線及び少なくとも一つの接地端子を含み、少なくとも一つの負荷と接続する電源システムと、
一端を前記正極母線と接続し、もう一端を前記接地端子と接続する第一接地コンデンサと、
一端を前記負極母線と接続し、もう一端を前記接地端子と接続する第二接地コンデンサと、
入力端子を前記正極母線及び前記負極母線にそれぞれ接続し、出力端子を前記正極母線及び前記接地端子にそれぞれ接続し、且つ前記第一接地コンデンサの電圧値が分子で、第二接地コンデンサの電圧値が分母の比率の絶対値が既定範囲値を超えているか否かを判断し、前記比率の絶対値が前記既定範囲値より小さい場合、電力転換ユニットが前記正極母線に対して直流電流を流入することで、前記接地端子から前記正極母線までの電位値を所定値まで向上し、前記比率の絶対値が前記既定範囲値より大きい場合、前記電力転換ユニットが前記負極母線に対して直流電流を流入することで、前記接地端子から前記負極母線までの電位値を所定値まで向上する電力転換ユニットと、
前記電力転換ユニットと接続する制御処理ユニットと、
前記第一接地コンデンサ、前記第二接地コンデンサ及び前記制御処理ユニットに接続する二つの電圧検出ユニットと、
前記電源システムの一つの負荷及び前記制御処理ユニットに接続する少なくとも一つの電流測定ユニットと、
を包括することを特徴とする、高感度に非接地型直流給電の絶縁抵抗を検出する電気回路。
【請求項５】
前記電力転換ユニットは、二つの単方向ＤＣ−ＤＣコンバータ（Ｕｎｉｄｉｒｅｃｔｉｏｎａｌ  ＤＣ−ｔｏ−ＤＣ  ｃｏｎｖｅｒｔｅｒ）或いは一つの双方向ＤＣ−ＤＣコンバータ（Ｂｉ−ｄｉｒｅｃｔｉｏｎａｌ  ＤＣ−ｔｏ−ＤＣ  ｃｏｎｖｅｒｔｅｒ）であることを特徴とする請求項４に記載の、高感度に非接地型直流給電の絶縁抵抗を検出する電気回路。
【発明の詳細な説明】
【技術分野】
【０００１】
本発明は、絶縁抵抗の故障を検出する方法及びその電気回路であって、特に非接地型直流給電によって絶縁抵抗が故障したか否かを検出する方法及びその電気回路に関するものである。
【背景技術】
【０００２】
直流給電システムは、通常、蓄電池セット、整流器及び電力電子コンバータから構成されることで、高品質な直流電源を重要な負荷に与えており、また、直流給電システムの品質を向上させるため、直流給電システムは、通常、非接地システム、即ち正極母線及び負極母線に絶縁を用いている。このため、たとえシステムに一点接地故障が発生したとしても、短絡回路を形成して直流システムの稼働に影響を及ぼすことはないが、それが二つ或いは二つ以上の場合、正極母線及び負極母線が短絡し、システム全体を故障させてしまう。
【０００３】
従来の直流システムの絶縁を検出する方法は、主に平衡ブリッジ検出法を用いており、正極母線及び負極母線の接地絶縁に変化が発生した場合、ブリッジは平衡を失い、絶縁モニタリング装置は警報信号を発出している。平衡ブリッジ検出法の感度は、通常、正極母線及び負極母線の接地絶縁抵抗の割合が２：１から１０：１の範囲に設定されているため、正極母線及び負極母線の接地絶縁抵抗の差が大きいものの、実際の正極母線及び負極母線の絶縁抵抗は許容値を下回っていない場合、平衡ブリッジ検出法は接地故障の誤った警報を発生する恐れがある。
【０００４】
不平衡ブリッジ検出法は、平衡ブリッジ検出法を改良したものであって、正極母線及び負極母線の絶縁抵抗が同等に低下した場合に用いることができ、且つ正極母線及び負極母線の絶縁抵抗の大きさを検出することができるが、不平衡ブリッジ検出法を利用して故障を検出する際、正極母線及び負極母線にテスト用の抵抗を設けなければならないため、検出する間、直流システムの接地絶縁抵抗は低下することとなる。
【０００５】
また、よく直流システムの絶縁を検出するその他の方法として交流電源流入法があり、その基本的な原理は、直流電源システムの正極母線及び負極母線に低周波交流電圧源を流入したあと、交流電流センサ（ＣＴ）を利用して支線の低周波交流電流信号を検出し、前記電流の大きさ及び角度に基づき、接地抵抗値を計算しており、測定した抵抗値が設定値より小さい場合、前記支線で接地故障が発生したと判断している。近年、微小電気機械システムデバイスは、対ジャミング用のコンデンサを大量に使用することで、過渡電圧補償器として用いられることから、直流電源中における接地容量値が増大し、コンデンサの電流も増大するため、交流電源流入法の接地故障に対する検出方法は、実際では支線の接地故障に対して有効的な検出を満足に行うことができない。つまり、接地コンデンサの電流が故障検出装置の絶縁抵抗に対する漏洩電流の設定値より大きい場合、誤った警報を引き起こし、故障検出装置の判断の正確性に影響を及ぼしている。
【０００６】
以上の方法から分かるとおり、非接地型直流電源システムにおいて、接地が一点故障、或いは絶縁が劣化した場合、本質上漏洩電流は発生しないものの、システムには接地の浮遊容量及び対ジャミング用に用いられる調整容量があるため、これ等容量は漏洩電流に経路を提供することから、絶縁抵抗の劣化の検出に用いることができるが、絶縁抵抗の劣化状況は、通常、急速に劣化するものではなく、極めてゆっくりと起こるものであるため、たとえ正極母線或いは負極母線に絶縁の劣化が発生し、接地する電圧が抵抗の低下に正比例して低下したとしても、接地コンデンサの電圧変化は非常に小さいことから、コンデンサの電荷転移量は非常に小さく、接地コンデンサは、正極母線及び負極母線の電流の差異を検出するためのホール素子電流検知器に必要なだけの放電電量を供給することができない。
【０００７】
つまり、絶縁抵抗が劣化した場合、漏洩電流開始値ＩＧＮ＋（ｔ０）は、数式においてＩＧＮ＋（ｔ０）＝Ｖｃ（ｔ０）／ＲＮ＋となるものの、正極母線及び負極母線の接地コンデンサの電荷が定常状態均衡に達した場合、漏洩電流は又零まで低下するため、浮遊容量或いは調節容量を接地することで漏洩電流の検出を行うと、絶縁抵抗に瞬間変化が発生した際、すぐさまにこの漏洩電流信号を検出することができる。漏洩電流は、指数函数の減少で、一定期間後零に近づく。
【０００８】
このため、正極母線及び負極母線の接地コンデンサの電荷が定常状態均衡に達した場合、漏洩電流の経路は又短絡するため、接地コンデンサが提供する漏洩電流の経路によって、接地絶縁抵抗を検出するという目的を達成することはできない。
【０００９】
このことから、従来のシステムを変更せずに、どのように備える接地コンデンサを応用して非接地型給電システムの接地故障を円滑に検出するかが課題となっている。
【発明の概要】
【発明が解決しようとする課題】
【００１０】
本発明の目的は、従来の接地型給電システムに接地故障が発生した場合、高感度な漏洩電流の検出ができないことを克服し、且つ容量接地法がゆっくり劣化する絶縁抵抗を検出することができないという欠点を改善する、新しい直流給電の絶縁抵抗を検出する電気回路を提供することにある。
【課題を解決するための手段】
【００１１】
本発明は、接地端子から電源システムの正極母線までの電位値及び前記接地端子から負極母線までの電位値を測定する工程と、前記接地端子から前記正極母線までの電位値が分子で、前記接地端子から前記負極母線までの電位値が分母の比率の絶対値が既定範囲値を超えているか否かを判断する工程と、前記比率の絶対値が前記既定範囲値より小さい場合、電力転換ユニットによって前記電源システムの正極母線に対して直流電流を流入することで、前記接地端子から前記正極母線までの電位値を所定値まで向上し、前記比率の絶対値が前記既定範囲値より大きい場合、電力転換ユニットによって前記電源システムの負極母線に対して直流電流を流入することで、前記接地端子から前記負極母線までの電位値を所定値まで向上する工程と、を包括する、高感度に非接地型直流給電の絶縁抵抗を検出する方法である。
【００１２】
本発明は、正極母線、負極母線及び少なくとも一つの接地端子を含み、少なくとも一つの負荷と接続する電源システムと、一端を前記正極母線と接続し、もう一端を前記接地端子と接続する第一接地コンデンサと、一端を前記負極母線と接続し、もう一端を前記接地端子と接続する第二接地コンデンサと、入力端子を前記正極母線及び前記負極母線にそれぞれ接続、或いはもう一つの電源システムの電源に接続し、出力端子を前記正極母線及び前記接地端子にそれぞれ接続する電力転換ユニットと、前記電力転換ユニットと接続する制御処理ユニットと、前記第一接地コンデンサ、前記第二接地コンデンサ及び前記制御処理ユニットに接続する二つの電圧検出ユニットと、前記電源システム及び前記制御処理ユニットに接続する少なくとも一つの電流測定ユニットと、を包括する、高感度に非接地型直流給電の絶縁抵抗を検出する電気回路をさらに包括している。
【発明の効果】
【００１３】
本発明の特徴は、直流電流を流入することで、漏洩電流が大きくなるため、電流検知器が漏洩電流の大きさを容易に測定でき、且つ、上述した電位値及び漏洩電流の大きさから接地絶縁抵抗値を算出し、絶縁抵抗の故障の程度を知り得ることから、非接地型直流給電システムの絶縁抵抗の故障を検出する効果を大幅に向上することができる。
【図面の簡単な説明】
【００１４】
【図１】本発明に係る電気回路を示す模式図である。
【図２Ａ】本発明に係る直流電流が正極母線に流入する様を示す模式図である。
【図２Ｂ】本発明に係る直流電流が正極母線に流入する様を示す模式図である。
【図２Ｃ】本発明に係る直流電流が正極母線に流入する様を示す模式図である。
【図３Ａ】本発明に係る正極母線の接地に故障が発生した際に形成する漏洩電流を示す模式図である。
【図３Ｂ】本発明に係る正極母線の接地に故障が発生した際に形成する漏洩電流を示す模式図である。
【図４Ａ】本発明に係る直流電流が負極母線に流入する様を示す模式図である。
【図４Ｂ】本発明に係る直流電流が負極母線に流入する様を示す模式図である。
【図４Ｃ】本発明に係る直流電流が負極母線に流入する様を示す模式図である。
【発明を実施するための形態】
【００１５】
本発明に係る、高感度に非接地型直流給電の絶縁抵抗を検出する方法及びその電気回路を、より明確に理解してもらうため、図１を参照しつつ、以下の実施例を用いて説明する。
【００１６】
本発明に係る回路は、電源システム１と、第一接地コンデンサＣ１と、第二接地コンデンサＣ２と、電力転換ユニット２と、制御処理ユニット３と、二つの電圧検出ユニット（図示されていない）と、複数の電流測定ユニット４１、４２、４３と、警報ユニット（図示されていない）とを包括しており、そのうち、前記電源システム１は、正極母線１１、負極母線１２及び少なくとも一つの接地端子１３を包括し、前記接地端子１３から前記正極母線１１までの電位を正とし、前記接地端子１３から前記負極母線１２までの電位を負とし、少なくとも一つの負荷に接続しており、本実施例においては、三つの負荷Ｌ１、Ｌ２、Ｌ３を設けて実施している。
【００１７】
そのうち、前記第一接地コンデンサＣ１は、一端を前記正極母線１１に接続し、もう一端を前記接地端子１３に接続しており、前記第二接地コンデンサＣ２は、一端を前記負極母線１２に接続し、もう一端を前記接地端子１３に接続している。また、前記正極母線１１が故障した際、前記電力転換ユニット２は、前記正極母線１１に対して直流電流を流入し、その直流電流の流動経路は、図２Ａ乃至図２Ｃに図示されているとおりである。また、前記接地端子１３から前記正極母線１１までの電位値に前記接地端子１３から前記負極母線１２までの電位値を加えた絶対値が前記電源システム１の電圧値に等しいため、一方の直流電流は、前記第一接地コンデンサＣ１に流入する際、図２Ｂのように、前記第一接地コンデンサＣ１に対して充電することで、前記第一接地コンデンサＣ１の電圧値を上昇させ、もう一方の直流電流は、前記第二接地コンデンサＣ２に流入する際、図２Ｃのように、前記第二接地コンデンサＣ２を放電させることで、前記第二接地コンデンサＣ２の電圧値を低下させている。
また、前記負極母線１２が故障した際、前記電力転換ユニット２は、前記負極母線１２に対して直流電流を流入し、その直流電流の流動経路は、図４Ａ乃至図４Ｃに図示されているとおりである。また、前記接地端子１３から前記正極母線１１までの電位値に前記接地端子１３から前記負極母線１２までの電位値を加えた絶対値が前記電源システム１の電圧値に等しいため、一方の直流電流は、前記第一接地コンデンサＣ１に流入する際、図４Ｂのように、前記第一接地コンデンサＣ１を放電させることで、前記第一接地コンデンサＣ１の電圧値を低下させ、もう一方の直流電流は、前記第二接地コンデンサＣ２に流入する際、図４Ｃのように、前記第二接地コンデンサＣ２に対して充電することで、前記第二接地コンデンサＣ２の電圧値を上昇させている。
このことから分かるとおり、本発明は、前記接地端子１３から故障した前記正極母線１１までの電位値、或いは前記接地端子１３から故障した前記負極母線１２までの電位値を向上させるために用い、且つ絶縁抵抗に故障が発生した際に漏洩電流に経路を提供している。なお、前記第一接地コンデンサＣ１及び前記第二コンデンサＣ２は、システム自身が有する浮遊容量、調整容量或いはシステム自身の容量が小さいためその他に増設する容量とすることができる。即ち、前記第一接地コンデンサＣ１は、システム全体において前記正極母線１１に接続する全ての容量であって、前記第二接地コンデンサＣ２は、システム全体において前記負極母線１２に接続する全ての容量である。
【００１８】
前記電力転換ユニット２は、入力端子を前記正極母線１１及び前記負極母線１２にそれぞれ接続、或いはもう一つの電源システムの電源に接続し、出力端子を前記正極母線１１及び前記接地端子１３にそれぞれ接続しており、絶縁抵抗に故障が発生した際、前記正極母線１１或いは前記負極母線１２に直流電流を流入させるために用いることから、前記電力転換ユニット２は、二つの単方向ＤＣ−ＤＣコンバータ（Ｕｎｉｄｉｒｅｃｔｉｏｎａｌ  ＤＣ−ｔｏ−ＤＣ  ｃｏｎｖｅｒｔｅｒ）或いは一つの双方向ＤＣ−ＤＣコンバータ（Ｂｉ−ｄｉｒｅｃｔｉｏｎａｌ  ＤＣ−ｔｏ−ＤＣ  ｃｏｎｖｅｒｔｅｒ）で実施することができ、本実施例においては、一つの双方向ＤＣ−ＤＣコンバータで実施している。
【００１９】
前記制御処理ユニット３は、前記電力転換ユニット２に接続しており、シングルチッププロセッサ或いはデジタル信号プロセッサ（ＤＳＰ）とすることができるが、これに限定するものではなく、本実施例においては、デジタル信号プロセッサで実施している。これ等電圧検出ユニットは、前記第一接地コンデンサＣ１及び前記第二接地コンデンサＣ２にそれぞれ設置し、且つ前記制御処理ユニット３に接続することで、前記第一接地コンデンサＣ１及び前記第二接地コンデンサＣ２の電圧信号を前記制御処理ユニット３に伝送している。
【００２０】
これ等電流測定ユニット４１、４２、４３は、これ等負荷Ｌ１、Ｌ２、Ｌ３に対応して三つ設け、且つ直流漏洩電流センサによって実施しており、前記電源システム１の各経路にあるこれ等負荷Ｌ１、Ｌ２、Ｌ３にそれぞれ接続することで、各経路の漏洩電流の状態を検出し、且つ前記制御処理ユニット３にそれぞれ接続することで、前記制御処理ユニット３は各経路の漏洩電流の値を把握している。前記警報信号ユニットは、前記制御処理ユニット３に接続し、絶縁抵抗に故障が発生した際にアラームを発生して注意を促すことができる。
【００２１】
次に、図１のほかに、図２Ａ乃至図２Ｃを併せて参照すると、本発明に係る方法は、前記接地端子１３から前記正極母線１１までの電位値及び前記接地端子１３から前記負極母線１２までの電位値を測定する工程、即ち、前記第一接地コンデンサＣ１及び前記第二接地コンデンサＣ２の電圧を測定する工程と、前記接地端子１３から前記正極母線１１までの電位値と、前記接地端子１３から前記負極母線１２までの電位値との比率の絶対値（即ち、「前記接地端子１３から前記正極母線１１までの電位値」は分子、「前記接地端子１３から前記負極母線１２までの電位値」は分母である）が、例えば、３：１〜１：３とする既定範囲値を超えているか否かを判断する工程と、前記比率の絶対値が前記既定範囲値より小さい場合、例えば、前記比率から得た絶対値が１：３より小さい場合、図２Ａ乃至図２Ｃのように、前記電力転換ユニット２によって前記電源システム１の前記正極母線１１に対して直流電流を流入することで、前記接地端子１３から前記正極母線１１までの電位値を前記電源システム１の電圧値の半分とする所定値まで向上し、前記比率の絶対値が前記既定範囲値より大きい場合、例えば、前記比率から得た絶対値が３：１よ大きい場合、図４Ａ乃至図４Ｃのように、前記電力転換ユニット２によって前記電源システム１の前記負極母線１２に対して直流電流を流入することで、前記接地端子１３から前記負極母線１２までの電位値を前記所定値まで向上する工程と、を包括していることが分かる。
【００２２】
また、前記電力転換ユニット２が前記正極母線１１に対して電流を流入した場合、前記接地端子１３から前記正極母線１１までの電位値は上昇し、且つ前記接地端子１３から前記正極母線１１までの電位値に前記接地端子１３から前記負極母線１２までの電位値を加えた絶対値が前記電源システム１の電圧値に等しいため、前記接地端子１３から前記正極母線１１までの電位値の上昇に伴い、前記接地端子１３から前記負極母線１２までの電位値は同等に低下しており、前記接地端子１３から前記正極母線１１までの電位値が上昇すれば、漏洩電流が大きくなるため、前記電流測定ユニット４３は接地故障の電流の大きさを容易に検出することができ、且つ前記接地端子１３から前記正極母線１１までの絶縁抵抗Ｒの大きさを容易に算出することができる。
【００２３】
次に、本発明は、前記第一接地コンデンサＣ１の電圧値及び前記第二接地コンデンサＣ２の電圧値が相等且つ足した値が前記電源システム１の電圧の半分であるか否かを判断したり、これ等電流測定ユニット４１、４２、４３から漏洩電流が検出されたか否かを判断したりする工程をさらに包括しており、前記電力転換ユニット２を切って直流電流の流入を停止した場合、例えば、前記接地端子１３から前記正極母線１１までが短絡故障、又は前記接地端子１３から前記正極母線１１までの前記絶縁抵抗Ｒが極めて小さい等のシステムに深刻な絶縁抵抗故障が発生すると、前記電力転換ユニット２が正極母線１１に対して流入する直流電流の多くは、前記絶縁抵抗Ｒの短絡故障のポイントに流入し、前記接地端子１３から前記正極母線１１までの電位値は所定値まで上昇しない恐れがあるため、前記電流測定ユニット４３が漏洩電流を検出した場合、前記電力転換ユニット２を即時に切ることで、漏洩電流の発生を抑制している。また、絶縁抵抗の故障の状況が軽度の場合、前記接地端子１３から前記正極母線１１までの絶縁抵抗の故障で発生する漏洩電流が前記電力転換ユニット２の出力電流より小さければ、余分な電流を前記第一接地コンデンサＣ１に流入することで、前記接地端子１３から前記正極母線１１までの電位値を上昇し、前記接地端子１３から前記負極母線１２までの電位値も同等に低下し、最後に前記第一接地コンデンサＣ１及び前記第二接地コンデンサＣ２の電圧を所定値に達したり、前記電流測定ユニット４３から漏洩電流が検出されれば、前記電力転換ユニット２を切ることで、漏洩電流の持続時間を低減するため、本発明は、前記電力転換ユニット２と、接地故障のポイントと、前記第一接地コンデンサＣ１及び前記第二接地コンデンサＣ２とで形成する電流流動経路によって一時的な漏洩電流を発生することから、接地絶縁抵抗を検出するという目的及びその効果を達成している。
【００２４】
前記第一接地コンデンサＣ１の電圧値及び前記第二接地コンデンサＣ２の電圧値は、相等且つ足した値が前記電源システム１の電圧の半分であって、前記正極母線１１に絶縁の劣化が発生した場合、前記第二接地コンデンサＣ２の電圧は前記第一接地コンデンサＣ１の電圧より大きく、劣化していない場合、前記第一接地コンデンサＣ１の電圧は前記第二接地コンデンサＣ２の電圧より大きい。つまり、前記電力転換ユニット２を切ると、漏洩電流は、前記第一接地コンデンサＣ１及び前記第二接地コンデンサＣ２に蓄積する電量で提供され、そのうち、図３Ａのように、漏洩電流の第一経路は、前記第一接地コンデンサＣ１の電量によって放電され、故障電流は前記正極母線１１から接地故障のポイントを介してアースに流入し、アースからまたコンデンサに戻っている。前記正極母線１１に接地絶縁の劣化が発生した場合、前記第一接地コンデンサＣ１に蓄積する電量によって放電され、前記第一接地コンデンサＣ１の電量が徐々に減少するため、電圧もまた徐々に減少し、最後に定常状態均衡に達した際、電圧は比較的に小さい電圧に保持し、前記第一接地コンデンサＣ１もまた電量を放出しなくなり、このことから漏洩電流の経路が短絡したこととなる。また、図３Ｂのように、第二経路は、もう一つの漏洩電流の経路であって、直流電源から故障のポイントである絶縁抵抗Ｒを介し、前記第二接地コンデンサＣ２に対して電量の充電を行っており、前記第二接地コンデンサＣ２の電量の増加のため、電圧もまた向上し、最後に定常状態均衡に達した際、電圧は比較的に大きな電圧に保持されている。
【００２５】
一方、図４Ａ乃至図４Ｃを参照すると、前記負極母線１２の接地絶縁抵抗Ｒが劣化した場合、前記接地端子１３から前記負極母線１２までの電位値は低下し、前記接地端子１３から前記正極母線１１までの電位値は上昇しており、前記接地端子１３から前記負極母線１２までの電位値が分母で、前記接地端子１３から前記正極母線１１までの電位値が分子の比率が既定範囲値より大きい場合、直流電流は前記接地端子１３に流入することで、前記接地端子１３から前記負極母線１２までの電位値を所定値まで向上しており、これは上述した直流電流を前記正極母線１１に流入させることと同じ原理であるため、ここでは示唆をしない。
【００２６】
以上のことから、本発明は、直流給電システムに存在するこれ等接地浮遊容量及び対ジャミングに用いる調整容量を利用し、直流電流の一部分を接地コンデンサに流入させることで、前記接地端子から前記正極母線までの電位値或いは前記接地端子から前記負極母線までの電位値の絶対値を向上し、漏洩電流も電圧の増加に伴い、同じ比例で増加するため、直流電流の流入によって漏洩電流を大きくすることから、電流測定ユニットは容易に漏洩電流の大きさを検出することができ、且つ、電圧及び漏洩電流の大きさから接地絶縁抵抗値を算出することができ、このため、非接地型直流システムの絶縁抵抗の故障を検出する効果を大幅に向上することができる。
【符号の説明】
【００２７】
１        電源システム
１１      正極母線
１２      負極母線
１３      接地端子
２        電力転換ユニット
３        制御処理ユニット
４１      電力測定ユニット
４２      電力測定ユニット
４３      電力測定ユニット
Ｃ１      第一接地コンデンサ
Ｃ２      第二接地コンデンサ
Ｌ１      負荷
Ｌ２      負荷
Ｌ３      負荷
Ｒ        絶縁抵抗
【図１】
0006130419.tif 000002
【図２Ａ】
0006130419.tif 000003
【図２Ｂ】
0006130419.tif 000004
【図２Ｃ】
0006130419.tif 000005
【図３Ａ】
0006130419.tif 000006
【図３Ｂ】
0006130419.tif 000007
【図４Ａ】
0006130419.tif 000008
【図４Ｂ】
0006130419.tif 000009
【図４Ｃ】
0006130419.tif 000010